(57)【要約】      （修正有）【課題】ネジを用いずに、パネル支持部材及びベゼルを固定可能に構成された表示装置を提供する。【解決手段】表示装置１１０は、表示面１１１を有する表示パネル２０１と、表示パネルを支持するパネル支持部材２０４と、表示面の側から前記表示パネルの外周部を覆い、かつ、パネル支持部材を囲むベゼル２０５と、を備え、パネル支持部材及びベゼルの一方は、パネル支持部材及びベゼルの他方に向かって突出する突部を有し、パネル支持部材及びベゼルの他方は、突部５０２が係合する係合部５０１を有する。【選択図】図５
2020184005.tif 000002
【特許請求の範囲】
【請求項１】
表示面を有する表示パネルと、
前記表示パネルを支持するパネル支持部材と、
前記表示面の側から前記表示パネルの外周部を覆い、かつ、前記パネル支持部材を囲むベゼルと、を備え、
前記パネル支持部材及び前記ベゼルの一方は、前記パネル支持部材及び前記ベゼルの他方に向かって突出する突部を有し、
前記パネル支持部材及び前記ベゼルの他方は、前記突部が係合する係合部を有する表示装置。
【請求項２】
前記パネル支持部材は、前記表示面に交差する方向に沿って延在する支持側面部を備え、
前記ベゼルは、前記表示面の外周部を覆う前面部と、前記前面部から前記表示面に交差する方向に延出し、前記パネル支持部材を囲むベゼル側面部と、を備え、
前記突部は、前記支持側面部及び前記ベゼル側面部の一方に設けられ、前記支持側面部及び前記ベゼル側面部の他方に向かって突出し、
前記係合部は、前記他方に設けられる
請求項１に記載の表示装置。
【請求項３】
前記支持側面部は、前記突部の突出方向から見て、前記支持側面部に設けられた前記突部又は前記係合部を囲む一部領域の厚みが、前記一部領域の周囲の厚みよりも小さい
請求項２に記載の表示装置。
【請求項４】
前記支持側面部は、前記一部領域に沿って、前記表示面に交差する方向に貫通する貫通孔が形成される
請求項３に記載の表示装置。
【請求項５】
前記支持側面部は、前記支持側面部に設けられた前記突部又は前記係合部の周囲の少なくとも一部に設けられた薄肉部を備える
請求項２から請求項４のいずれか１項に記載の表示装置。
【請求項６】
前記突部は、前記ベゼル側面部に設けられ、
前記係合部は、前記支持側面部に設けられ、
前記突部は、前記表示面に交差する方向において前記前面部の側に向かって傾斜する第１傾斜面を備える
請求項２から請求項５のいずれか１項に記載の表示装置。
【請求項７】
前記突部は、前記ベゼル側面部に設けられ、
前記係合部は、前記支持側面部に設けられ、
前記支持側面部は、前記表示面に交差する方向における前記ベゼル側の端部の前記突部と対応する位置に、前記ベゼルとは反対側の端部に向かって傾斜する第２傾斜面を備える
請求項２から請求項６のいずれか１項に記載の表示装置。
【請求項８】
前記ベゼルは、前記パネル支持部材に向かって延出する延出部を備え、
前記パネル支持部材は、前記延出部が挿入される溝部を備える
請求項１から請求項７のいずれか１項に記載の表示装置。
【請求項９】
更に、前記表示パネルの前記表示面とは反対側に位置し、前記パネル支持部材が固定され、前記表示パネル、前記ベゼル、及び前記パネル支持部材を支持するシャーシを備える請求項１から請求項８のいずれか１項に記載の表示装置。
【発明の詳細な説明】
【技術分野】
【０００１】
本発明は、表示装置に関する。
【背景技術】
【０００２】
特許文献１には、液晶パネルと、液晶パネルの後側に配置される中間シャーシと、液晶パネルの周囲に設けられる前面フレームと、を備える液晶表示装置が記載されている。特許文献１に記載の液晶表示装置は、中間シャーシに支持された液晶パネルの周縁部を前面フレームが抑えた状態で、前面フレームと中間シャーシとがネジで固定され、中間シャーシ及び前面フレームにより液晶パネルが保持される。
【先行技術文献】
【特許文献】
【０００３】
【特許文献１】特開２００９−１７５４１５号公報
【発明の概要】
【発明が解決しようとする課題】
【０００４】
しかしながら、特許文献１に記載の液晶表示装置では、液晶パネルを支持する中間シャーシ（パネル支持部材）と、前面フレーム（ベゼル）とを固定するために、ネジ止めの作業を行う必要があり、組み立て時の作業効率が低下する恐れがある。また、ネジを用いることにより製品コストが増大する可能性もある。
【０００５】
本発明は、ネジを用いずに、パネル支持部材及びベゼルを固定可能に構成された表示装置を提供することを１つの目的とする。
【課題を解決するための手段】
【０００６】
本発明の第１の態様に係る表示装置は、表示面を有する表示パネルと、前記表示パネルを支持するパネル支持部材と、前記表示面の側から前記表示パネルの外周部を覆い、かつ、前記パネル支持部材を囲むベゼルと、を備え、前記パネル支持部材及び前記ベゼルの一方は、前記パネル支持部材及び前記ベゼルの他方に向かって突出する突部を有し、前記パネル支持部材及び前記ベゼルの他方は、前記突部が係合する係合部を有する。
【０００７】
本発明の第２の態様に係る表示装置は、上記第１の態様において、前記パネル支持部材は、前記表示面に交差する方向に沿って延在する支持側面部を備え、前記ベゼルは、前記表示面の外周部を覆う前面部と、前記前面部から前記表示面に交差する方向に延出し、前記パネル支持部材を囲むベゼル側面部と、を備え、前記突部は、前記支持側面部及び前記ベゼル側面部の一方に設けられ、前記支持側面部及び前記ベゼル側面部の他方に向かって突出し、前記係合部は、前記他方に設けられる。
【０００８】
本発明の第３の態様に係る表示装置は、上記第２の態様において、前記支持側面部は、前記突部の突出方向から見て、前記支持側面部に設けられた前記突部又は前記係合部を囲む一部領域の厚みが、前記一部領域の周囲の厚みよりも小さい。
【０００９】
本発明の第４の態様に係る表示装置は、上記第３の態様において、前記支持側面部は、前記一部領域に沿って、前記表示面に交差する方向に貫通する貫通孔が形成される。
【００１０】
本発明の第５の態様に係る表示装置は、上記第２から第４のいずれか１つの態様において、前記支持側面部に設けられた前記突部又は前記係合部の周囲の少なくとも一部に設けられた薄肉部を備える。
【００１１】
本発明の第６の態様に係る表示装置は、上記第２から第５のいずれか１つの態様において、前記突部は、前記ベゼル側面部に設けられ、前記係合部は、前記支持側面部に設けられ、前記突部は、前記表示面に交差する方向において前記前面部の側に向かって傾斜する第１傾斜面を備える。
【００１２】
本発明の第７の態様に係る表示装置は、上記第２から第６のいずれか１つの態様において、前記突部は、前記ベゼル側面部に設けられ、前記係合部は、前記支持側面部に設けられ、前記支持側面部は、前記表示面に交差する方向における前記ベゼル側の端部の前記突部と対応する位置に、前記ベゼルとは反対側の端部に向かって傾斜する第２傾斜面を備える。
【００１３】
本発明の第８の態様に係る表示装置は、上記第１から第７のいずれか１つの態様において、前記ベゼルは、前記パネル支持部材に向かって延出する延出部を備え、前記パネル支持部材は、前記延出部が挿入される溝部を備える。
【００１４】
本発明の第９の態様に係る表示装置は、上記第１から第８のいずれか１つの態様において、更に、前記表示パネルの前記表示面とは反対側に位置し、前記パネル支持部材が固定され、前記表示パネル、前記ベゼル、及び前記パネル支持部材を支持するシャーシを備える。
【図面の簡単な説明】
【００１５】
【図１】表示装置を備えるテレビジョン受信機の一例を模式的に示す図である。
【図２】図１のII−II線における表示装置の断面の概略構成を示す図である。
【図３】表示パネルの一例を模式的に示す図である。
【図４】図１のIV−IV線における表示装置の断面の概略構成を示す図である。
【図５】図１のV−V線における表示装置の断面の概略構成を示す図である。
【図６】ベゼル位置決め溝及び係合部の概略構成を示す図である。
【図７】パネル支持部材の係合部が設けられた部分の概略構成を示す図である。
【図８】図１のVIII−VIII線における表示装置の断面の概略構成を示す図である。
【図９】図９は、一比較例に係る表示装置の断面の概略構成を示す図である。
【図１０】一変形例に係る表示装置の断面の概略構成を示す図である。
【図１１】一変形例に係る表示装置の断面の概略構成を示す図である。
【図１２】一変形例に係る表示装置の断面の概略構成を示す図である。
【発明を実施するための形態】
【００１６】
以下、本発明の一態様に係る表示装置について、図面を参照しつつ説明する。なお、以下の説明では、図中に矢印で示す、前、後、左、右、上、及び下のそれぞれの向きを使用する。図面については、同一又は同等の要素には同一の符号を付し、重複する説明は省略する。なお、本発明は、後述する実施形態の構成に限定されるものではなく、本発明の技術的思想の範囲内、即ち、同一の作用効果を発揮できる構成等の範囲内で変更できる。
【００１７】
以下、本発明の一態様に係る表示装置の一実施形態について説明する。図１は、表示装置を備えるテレビジョン受信機の外観の概略構成を示す図である。図１に示すように、テレビジョン受信機１０１は、表示装置１１０と、受信部１２０と、信号処理部１３０と、を備えている。表示装置１１０は、画像を表示する表示面１１１を有する。表示装置１１０には受信部１２０及び信号処理部１３０が内蔵されている。なお、受信部１２０及び信号処理部１３０は、表示装置１１０に外付けされていてもよい。
【００１８】
テレビジョン受信機１０１は、例えば図示しないスタンドに支持されて据え置きされるか、又は、図示しない金具に掛止されて壁掛けされる。このとき、表示装置１１０の表示面１１１は前側に向けられ、表示装置１１０の厚み方向、長手方向、及び短手方向は、それぞれ前後方向、左右方向、及び上下方向に沿う。
【００１９】
受信部１２０は、受信回路が実装された回路基板である。受信部１２は、図示しないアンテナを介して外部からテレビジョン放送を受信し、受信したテレビジョン放送に基づく放送信号を出力する。
【００２０】
信号処理部１３０は、信号処理回路が実装された回路基板である。信号処理部１３０は、受信部１２０が出力した放送信号に所定の信号処理を施すことによって、映像データを出力する。信号処理部１３０が出力した映像データに基づく映像は、表示装置１０１の表示面１１１に表示される。
【００２１】
（表示装置の構成）
図２は、図１のII−II線における表示装置１１０の断面の概略構成の一例を示す図である。表示装置１１０は、表示パネル２０１と、バックライト２０２と、シャーシ２０３と、パネル支持部材２０４と、ベゼル２０５と、を備える。
【００２２】
図３は、前方から見た際の表示パネル２０１の一例を模式的に示す平面図である。表示パネル２０１は、前後方向の平面視にて略矩形状の外形を有し、表示面１１１（図１参照）に画像表示する。表示パネル２０１は、例えば、カラーフィルタ基板とアレー基板との間に液晶を封入することによって構成される液晶パネルである。なお、表示パネル２０１は、液晶パネルに制限されず、例えば、有機ＥＬ（Organic Electro-Luminescence）、及びマイクロＬＥＤ（Light Emitting Diode）等の各種方式の表示パネルを用いてもよい。
【００２３】
表示パネル２０１は、各画素にＴＦＴ（Thin-film-transistor）を備え、ＴＦＴのゲートラインにゲートドライバ２１１が接続される。ゲートドライバ２１１は、フレキシブル基板と、フレキシブル基板に設けられたドライバ回路と、を備える。ゲートドライバ２１１は、図３に示すように、表示パネル２０１の左側及び右側の外周部のそれぞれに複数設けられる。
【００２４】
また、図３に示すように、表示パネル２０１は、ＴＦＴのソースラインにソースドライバ３０１が接続される。ソースドライバ３０１は、一端に表示パネル３０１が接続され、他端にタイミングコントローラ（ＴＣＯＮ：Timing Controller）３０２が接続されている。ソースドライバ３０１は、フレキシブル基板とドライバ回路とを備え、表示パネル２０１の下側の外周部に複数設けられる。なお、図３に示す例では、２つのＴＣＯＮ３０２が表示パネル２０１に接続されているが、１つ又は３以上のＴＣＯＮ３０２が配置されてもよい。
【００２５】
バックライト２０２は、図２に示すように、表示パネル２０１の後方に配置され、表示パネル２０１に向かって照明光を照射する。バックライト２０２は、例えば、発光ダイオード等の光源（図示省略）と、光源からの光を伝播させ、表示パネル２０１に向かって照明光を照射する導光板２２１と、導光板２２１の前面に配置された光学シート２２２と、導光板２２１の後面に配置された反射シート２２３と、を備える。
【００２６】
図示例では、バックライト２０２は、導光板２２１の側面に光源が配置される、いわゆるエッジ型バックライトとして構成される。なお、バックライト２０２は、導光板２２２に替えて光拡散板を備え、複数の光源が光拡散板の後面に沿って配列される直下型バックライトとして構成されてもよい。
【００２７】
シャーシ２０３は、バックライト２０２を収納し、かつ、表示パネル２０１、パネル支持部材２０４及びベゼル２０５を支持する。シャーシ２０３は、底部２３１と、壁部２３２と、を備える。底部２３１は、平面視にて略矩形状の外形を有し、バックライト２０２が設置される。壁部２３２は、底部２３１の上下左右の周縁部から表示パネル２０１の側（前方）に向かって起立する。シャーシ２０３は、壁部２３２の前側が開口する箱状に形成される。
【００２８】
（パネル支持部材及びベゼルの構成）
パネル支持部材２０４は、後側から表示パネル２０１を支持する。ベゼル２０５は、表示パネル２０１の前側から表示パネル２０１の外周部を覆うように取り付けられ、パネル支持部材２０４に係合固定される。表示パネル２０１は、パネル支持部材２０４及びベゼル２０５によって前後方向から挟持された状態で、シャーシ２０３に固定される。以下、パネル支持部材２０４及びベゼル２０５について説明する。
【００２９】
図４は、図１のIV−IV線における表示装置１１０の断面の概略構成の一例を示す図である。図５は、図１のV−V線における表示装置１１０の断面の概略構成の一例を示す図である。パネル支持部材２０４は、後側から表示パネル２０１を支持する。パネル支持部材２０４は、表示パネル２０１の上下左右の４辺に沿って、ベゼル２０５の内側（すなわち、表示面１１１の法線方向（前後方向）から見た平面視にて表示面１１１の中心に近い側）に配置され、前方から見て枠状に構成される。なお、パネル支持部材２０４は、表示パネル２０１の上下左右の各辺に対応する、上部、下部、左部、及び右部に分かれていてもよいし、一体的に構成されてもよい。
【００３０】
パネル支持部材２０４は、樹脂材料を用いて形成され、金属材料で形成される場合と比べて、弾性変形し易い。なお、パネル支持部材２０４は、アルミニウムや鉄等の金属材料を用いて形成されてもよい。
【００３１】
パネル支持部材２０４は、図２に示すように、支持部２４１と、支持側面部２４２と、シャーシ位置決め溝２４３と、を備える。また、パネル支持部材２０４は、図４に示すように、ベゼル位置決め溝４０１を備える。また、パネル支持部材２０４は、図５に示すように、係合部５０１を備える。
【００３２】
支持部２４１は、図２に示すように、表示面１１１の後方に位置し、スペーサ２０６を介して表示パネル２０１を後方から支持する。支持部２４１は、表示パネル２０１の上下左右の４辺に沿って配置され、枠体を成す。枠状の支持部２４１の内側の開口部分を、バックライト２０２からの照明光が通過し、表示パネル２０１に照射される。
【００３３】
支持側面部２４２は、支持部２４１に接続し（図４参照）、表示パネル２０１の表示面１１１に交差する方向（例えば表示面１１１の法線方向）に沿って延在する。本実施形態では、支持側面部２４２は、少なくとも支持部２４１から後方に延出する。なお、図２では、ゲートドライバ２１１を配置するために、パネル支持部材２０４の一部に切り欠きが形成されている。なお、図２では、支持部２４１と支持側面部２４２との接続部分に、ゲートドライバ２１１を配置するために切り欠きが形成されている。
【００３４】
シャーシ位置決め溝２４３は、図２及び図４に示すように、パネル支持部材２０４の後面側に設けられ、後方に開口する溝部である。換言すると、シャーシ位置決め溝２４３は、支持部２４１から後方に向かって突出するリブ２４４と、支持側面部２４２との間に形成される。シャーシ位置決め溝２４３は、バックライトシャーシ２０３の壁部２３２が挿入される。これにより、例えば、リブ２４４と壁部２３２とが当接し、バックライトシャーシ２０３とパネル支持部材２０４とが、相対的に位置決めされる。
【００３５】
図６は、ベゼル位置決め溝４０１及び係合部５０１の一例を示す図である。図６は、ベゼル２０４を外した状態の表示装置１１０の一部の概略構成の一例を示している。ベゼル位置決め溝４０１は、図６に示すように、少なくとも前側に開口する溝部であり、図４に示すように、後述するベゼル２０５の延出部４０２が前方から挿入される。
【００３６】
ベゼル位置決め溝４０１の底面は、延出部４０２の先端部と当接している。ベゼル位置決め溝４０１の左右方向又は上下方向に交差する内面は、延出部４０２の側面と接触するかわずかに離間している。これにより、ベゼル２０５は、パネル支持部材２０４に対して位置決めされる。
【００３７】
ベゼル位置決め溝４０１は、表示パネル２０１の外周縁部に沿って複数設けられる。本実施形態では、例えば、ベゼル位置決め溝４０１は、表示パネル２０１の上辺、左辺、右辺に沿って複数設けられる。ここで、図６に示すように、ベゼル位置決め溝４０１は、表示パネル２０１の左辺及び右辺に沿う位置では、ゲートドライバ２１１の間（図３に示す領域３０３のいずれか）に設けられる。
【００３８】
係合部５０１は、図５に示すように、後述するベゼル２０５の突部５０２が係合する。本実施形態では、係合部５０１は、支持側面部２４２における突部５０２と対応する位置に、突部５０２が挿入可能に設けられた穴部である。
【００３９】
係合部５０１は、図６に示すように、パネル支持部材２０４の長手方向（矩形状の表示パネル２０１の外周縁に沿う方向）を長手方向とし、前後方向を短手方向とする断面形状を有する。なお、係合部５０１は、支持側面部２４２を貫通しているが、貫通しない穴、すなわちベゼル２０５側に向かって開口する凹部でもよい。
【００４０】
係合部５０１は、表示パネル２０１の外周縁部に沿って複数設けられる。本実施形態では、例えば、係合部５０１は、ベゼル位置決め溝４０１と同様に、表示パネル２０１の上辺、左辺、右辺に沿って複数設けられる。また、係合部５０１は、表示パネル２０１の左辺及び右辺に沿う位置では、図６に示すようにベゼル位置決め溝４０１と同様に、ゲートドライバ２１１の間（図３に示す領域３０３のいずれか）に設けられる。
【００４１】
図７は、パネル支持部材２０４の係合部５０１が設けられた部分を後方から見た場合の構成の一例を模式的に示す図である。なお、図７では、後述する後側傾斜面５０５等の一部の構成を省略し、パネル支持部材２０４の構成を簡略化して図示している。パネル支持部材２０４は、図５及び図７に示すように、貫通孔５０３が形成され、図７に示すように、薄肉部７０１が形成されている。
【００４２】
貫通孔５０３は、パネル支持部材２０４を前後方向に貫通して設けられる。貫通孔５０３は、支持側面部２４２から表示パネル２０１に向かう平面視（図７左右方向の平面視）にて係合部５０１と少なくとも重なる位置に設けられる。換言すると、貫通孔５０３は、上記平面視にて少なくとも貫通孔５０３と重なる重畳部７０２に沿って設けられている。パネル支持部材２０４の長手方向（図７では上下方向）において、貫通孔５０３の寸法は、係合部５０１の寸法よりも長い。
【００４３】
なお、図７に示す例では、貫通孔５０３は、前後方向の平面視で、左右方向に支持側面部２４２から支持部２４１の一部に亘って形成されている。貫通孔５０３を規定する右側の端面は、シャーシ位置決め溝２４３の右側の内面（リブ２４４の側面）と同一平面を成す（図５参照）。
【００４４】
重畳部７０２は、貫通孔５０３と重ならない部分と比べて、厚み寸法（図７の左右方向の寸法）が小さく弾性変形し易い。すなわち、重畳部７０２は、突部５０２の突出方向（図７の左右方向であり、支持側面部２４２の厚み方向）から見た際に、支持側面部２４２に設けられた係合部５０１を囲む一部領域である。一部領域は、一部領域の周囲（すなわち重畳部７０２の外側の領域）よりも厚みが小さく、変形し易い。したがって、ベゼル２０５の突部５０２を係合部５０１に挿入する際に、重畳部７０２を変形させることができ、ベゼル２０５の取り付けが容易である。
【００４５】
薄肉部７０１は、係合部５０１の周囲の少なくとも一部に設けられる。図７に示す例では、薄肉部７０１は、前後方向から見て、パネル支持部材２０４の長手方向における係合部５０１の両端側、より具体的には、パネル支持部材２０４の長手方向における重畳部７０２の端部に、前後方向に沿って設けられる。換言すると、薄肉部７０１は、係合部５０１を囲む上記の一部領域と、上記一部領域の周囲の領域との境界に設けられる。薄肉部７０１は、他の部分と比べて厚み寸法が小さい。薄肉部７０１を設けることにより重畳部７０２をより弾性変形し易くできる。
【００４６】
図８は、図１のVIII−VIII線の位置での断面の一例を模式的に示す図である。図６に示すように、パネル支持部材２０４は、バネ８０１によって、シャーシ２０３の壁部２３２に固定されている。バネ８０１は、固定部８１１と、弾性部８１２と、を備える。固定部８１１は、シャーシ２０３の壁部２３２の内面から前側の端面に沿って設けられ、壁部２３２に固定される。弾性部８１２は、固定部８１１から、壁部２３２の外面側に屈曲し、後方に向かって延出する。
【００４７】
パネル支持部材２０４は、後方の端部に設けられ、内側に向かって屈曲する鈎部８０２を有する。パネル支持部材２０４は、バネ８０１の弾性部８１２の先端が、鈎部８０２に係合することにより、シャーシ２０３に固定される。
【００４８】
パネル支持部材２０４は、上述の固定態様によって、複数位置でシャーシ２０３に固定されている。例えば、パネル支持部材２０４は、表示パネル２０１の上辺、左辺、右辺に沿って複数位置にバネ８０１が設けられ、シャーシ２０３に固定される。表示パネル２０１の左辺及び右辺に沿う位置では、前後方向から見て、ベゼル位置決め溝４０１、係合部５０１、及びゲートドライバ２１１と重ならない位置（図３に示す領域３０３のいずれか）にバネ８０１が設けられる。
【００４９】
ベゼル２０５は、図２、図４、及び図５に示すように、表示面１１１の側から表示パネル２０１の外周部を覆い、かつ、パネル支持部材２０４を囲む筐体である。本実施形態では、ベゼル２０５は、外装筐体を兼ねる。ベゼル２０５は、表示パネル２０１の上下左右の４辺に沿って配置され、前方から見て表示面１１１を囲む枠状に構成される。なお、ベゼル２０５は、表示パネル２０１の上下左右の各辺に対応する、上部、下部、左部、及び右部に分かれていてもよいし、一体的に構成されてもよい。なお、ベゼル２０５が外装筐体を兼ねず、ベゼル２０５の外側に別に外装筐体が設けられてもよい。
【００５０】
ベゼル２０５は、金属材料、例えばアルミニウムを用いて形成される。これにより、ベゼル２０５は、外装筐体として十分な強度を備える。また、ベゼル２０５は、樹脂製のパネル支持部材２０４よりも剛性が大きい。これにより、パネル支持部材２０４にベゼル２０５を取り付ける際に、ベゼル２０５の変形を抑制できる。なお、ベゼル２０５は、アルミニウム以外の金属材料（例えば鉄）や、各種の樹脂材料を用いて形成されてもよい。
【００５１】
ベゼル２０５は、図２、図４又は図５に示すように、前面部２５１と、ベゼル側面部２５２と、を備え、略Ｌ字状の断面形状を有する。また、ベゼル２０５は、図４に示す延出部４０１と、図５に示す突部５０２と、を備える。
【００５２】
前面部２５１は、表示面１１１の前方に位置し、スペーサ２０７を介して表示パネル２０１に当接し、表示パネル２０１を前側から支持する。前面部２５１は、表示パネル２０１の上下左右の４辺に沿って配置され、枠体を成す。枠状の前面部２５１の開口部分から、表示パネル２０１の表示面１１１が露出する。
【００５３】
ベゼル側面部２５２は、前後方向の平面視にて、前面部２５１の外側（表示面１１１の法線方向の平面視にて表示面１１１の中心と反対側）の端部から、表示パネル１１１の側、すなわち後方に向かって屈曲し、延出する。ベゼル側面部２５２は、表示パネル２０１及びパネル支持部材２０４よりも外側に位置し、パネル支持部材２０４を囲む。
【００５４】
ベゼル側面部２５２は、表示装置１１０の中心に対して支持側面部２４２よりも外側に位置し、支持側面部２４２に沿って延在する。ベゼル側面部２５２の支持側面部２４２（内側）の面と、支持側面部２４２のベゼル側面部２５２側（外側）の面とは、接触するかわずかに離間している。
【００５５】
延出部４０２は、図４に示すように、パネル支持部材２０４に設けられたベゼル位置決め溝４０１に対応する位置に設けられ、前面部２５１から後方に向かって延出する。すなわち、延出部４０２は、パネル支持部材２０４に向かって延出している。延出部４０２は、ベゼル位置決め溝４０１に挿入され、ベゼル２０５は、パネル支持部材２０４に対して位置決めされる。
【００５６】
突部５０２は、図５に示すように、ベゼル側面部２５２の内面（表示パネル２０１側の面）から内側（前後方向の平面視にて表示装置１１０の中心側）に向かって、すなわち支持側面部２４２に向かって突出する。突部５０２は、支持側面部２４２の係合部５０１に対向する位置に設けられ、係合部５０１に係合する。
【００５７】
ベゼル２０５は、表示パネル２０１の前方から取り付けられ、パネル支持部材２０４に対して係合固定される。すなわち、ベゼル２０５は、突部５０２が係合部５０１に至るまで、パネル支持側面部２４２に沿って前方から後方にスライドされる。突部５０２が係合部５０１に係合することにより、ベゼル２０５が支持部材２０４に対して固定されるともに、表示パネル２０１が支持部材２０４及びベゼル２０５によって前後方向から挟持される。表示装置１１０では、支持部材２０４をベゼル２０５に対してネジで固定する場合と比べて、ネジ留め作業を行う必要がなく、組み立て作業の効率化を図ることができる。また、ネジを用いないので、コストの削減を図ることができる。
【００５８】
また、支持側面部２４２に係合部５０１が、ベゼル側面部２５２の内面に突部５０１が設けられるので、支持部材２０４に対してベゼル２０５を後方にスライドさせて係合固定するとともに、支持部材２０４及びベゼル２０５によって表示パネル２０１を挟持できる。すなわち、表示装置１１０では、支持部材２０４及びベゼル２０５の固定と、表示パネル２０１の固定とを同時に行うことができ、組み立て作業の効率化を図ることができる。
【００５９】
また、ベゼル２０５の取り付け時に、支持側面部２４２は、ベゼル２０５から内側に向かって押圧され弾性変形する。本実施形態では、金属材料で形成されたベゼル２０５は、樹脂材料で形成されたパネル支持部材２０４よりも剛性が大きいので、パネル支持部材２０４を弾性変形させることが容易であり、取り付け作業も容易である。
【００６０】
支持側面部２４２は、貫通孔５０３が形成されているので、突部５０２から押圧された際に重畳部７０２を弾性変形し易くすることができ、取り付け作業をより容易とすることができる。また、貫通孔５０３を挟むように、薄肉部７０１が設けられているので、より重畳部７０２を弾性変形し易くすることができる。
【００６１】
図５に示す例では、突部５０２は、略台形状の断面形状を有し、突部５０２の後面５２１は、前方に向かって傾斜している。一方、支持側面部２４２の前側の端部のうちの少なくとも係合部５０１の前側に位置する端部には、後方に向かって傾斜する前側傾斜面５０４が形成されている。ベゼル２０５の取り付け時に、後面５２１を前側傾斜面５０４に摺接させることにより、支持側面部２４２を弾性変形させ易くでき、かつ、左右方向及び上下方向におけるベゼル２０５の位置ずれを抑制できる。
【００６２】
また、図５に示す例では、支持側面部２４２の後側の端部のうちの少なくとも一部、具体的には、係合部５０１の後側に位置する端部に、前方に向かって傾斜する後側傾斜面５０５が形成されている。これにより、後側傾斜面５０５とベゼル側面部２５２の内面との間に、器具等を挿入可能な隙間を形成することができ、容易にベゼル２０５を取り外し可能である。
【００６３】
なお、図５に示すように、表示装置１１０は、貫通孔５０３を遮蔽する遮蔽部材５０６が設けられている。遮蔽部材５０６は、パネル支持部材２０５の後側に、パネル支持部材２０５とバックライトシャーシ２０３とに亘って配置されている。これにより、貫通孔５０３から表示装置１１０内部の光が漏れたり、外光が表示装置１１０内部に入光したり、表示装置１１０内部に塵等が入ることを抑制できる。
【００６４】
図９は、一比較例に係る表示装置の概略構成を示す断面図である。図９に示す、一比較例に係る表示装置９００では、パネル支持部材９０１及びベゼル９０２は、それぞれバックライトシャーシ２０３に固定されている。図９に示す表示装置９００では、バネ９０３を配置したり、バネ９０３をバックライトシャーシ２０３に固定したりする必要がある。例えば、表示パネル２０１の左辺及び右辺に沿う領域では、図３に示すゲートドライバ２１１の間の領域３０３に、バネ９０３及びバネ９０３の固定構造のみならず、パネル支持部材９０１をバックライトシャーシ２０３に固定するためのバネ等の固定構造等の各種の構成を配置する必要があり、各構成に充当できるスペースが小さくなり、固定強度が低下する可能性がある。
【００６５】
一方で、本実施形態では、ベゼル２０５がパネル支持部材２０４に係合固定される。これにより、図９に示すバネ９０３をバックライトシャーシ２０３に固定するスペースを、パネル支持部材２０４及びベゼル２０５の係合構造や位置決め構造等の他の構造に充当することができ、設計自由度を増大でき、固定構造の強度確保も容易となる。
【００６６】
また、図９に示すように、ベゼル９０２をバックライトシャーシ２０３に固定する構成では、表示装置９００では、ベゼル９０２からバックライトシャーシ２０３の内側に向かって位置決め用のリブ９０４（図９に一点鎖線で示す）を設けることが好ましい。この場合、リブ９０４はパネル支持部材２０４の外側（図９では左側）に位置するため、当該リブ９０４を設けることによりバックライトシャーシ２０３の幅寸法（前後方向に見た場合の幅寸法）が増大して大型化し、ひいてはベゼル９０２が大型化する恐れがある。これに対して、本実施形態の表示装置１１０は、パネル支持部材２０４に対してベゼル２０５を固定するため、バックライトシャーシ２０３及びベゼル２０５の大型化を抑制でき、ひいては、表示装置１１０の大型化を抑制できる。例えば、ベゼル２０５の幅寸法をより小さくすることができ、表示面１１１の外側部分（額縁）の寸法がより小さい表示装置１１０を提供できる。
【００６７】
また、ベゼルをバックライトシャーシにネジで固定する場合、シャーシ及びベゼルにおけるパネル支持部材よりも外側の位置に、ネジによる固定構造を設けることとなり、バックライトシャーシ及びベゼルの大型化のおそれがある。これに対して、本実施形態の表示装置１１０は、パネル支持部材２０４に対してベゼル２０５を係合固定するため、バックライトシャーシ２０３及びベゼル２０５の大型化を抑制できる。
【００６８】
（変形例）
本発明に係る表示装置は、上述の実施形態に限定されず、本発明の技術的思想の範囲内において、各種の変形によって得られる構成は本発明に含まれるものである。
【００６９】
図１０は、一変形例に係る表示装置１１０Ａの概略構成を示す断面図である。上記実施形態では、パネル支持部材２０４は、バックライトシャーシ２０３に対してバネで固定されていたが、本発明の一態様にかかる表示装置は、上記構成に限定されない。図１０に示すように、パネル支持部材２０４は、バックライトシャーシ２０３に対してネジ１０００によって固定されてもよい。この場合、バックライトシャーシ２０３に対してパネル支持部材２０４をより強固に固定することができる。
【００７０】
図１１は、一変形例に係る表示装置１１０Ｂの概略構成を示す断面図である。図１１に示すように、バックライトシャーシ２０３に設けられた切り欠き部１１０１に対して、パネル支持部材２０４の支持側面部２４２の後端に設けられた鈎部１１０２が係合し、パネル支持部材２０４がバックライトシャーシ２０３に固定されてもよい。なお、バックライトシャーシ２０３側に鈎部が設けられ、パネル支持部材２０４側に鈎部が係合する係合部が設けられてもよい。
【００７１】
上記実施形態では、パネル支持部材２０４は、前後方向に沿って貫通孔５０３（図５参照）が形成されているが、本発明の一態様にかかる表示装置は、上記構成に限定されない。図１２は、一変形例に係る表示装置１１０Ｃの概略構成を示す断面図である。図１２に示すように、パネル支持部材２０４は、貫通孔５０３（図５参照）が形成されていなくてもよい。このような構成では、遮蔽部材５０６（図５参照）を設けなくとも、貫通孔５０３を設けることによる装置内部の光が漏れや、外部から装置内部への入光や、装置内部への塵等の侵入を抑制できる。
【００７２】
上記実施形態では、係合部５０１は、パネル支持部材２０４に、突部５０２は、ベゼル２０５に設けられていたが、本発明の一態様に係る表示装置は、これに限定されない。例えば、係合部５０１は、ベゼル２０５に設けられてもよく、突部５０２は、パネル支持部材２０４に設けられてもよい。また、上記実施形態では、貫通孔５０３として例示した変形容易な一部領域が、パネル支持部材２０４に設けられていたがベゼル２０５に設けられてもよい。
【符号の説明】
【００７３】
１０１  テレビジョン受信機
１１０  表示装置
１１１  表示面
１２０  受信部
１３０  信号処理部
２０１  表示パネル
２０２  バックライト
２０３  バックライトシャーシ（シャーシ）
２０４  パネル支持部材
２０５  ベゼル
２０６，２０７  スペーサ
２１１  ゲートドライバ
２２１  導光板
２２２  光学シート
２２３  反射シート
２３１  底部
２３２  壁部
２４１  支持部
２４２  支持側面部
２４３  シャーシ位置決め溝
２５１  前面部
２５２  ベゼル側面部
３０１  ソースドライバ
３０２  ＴＣＯＮ
４０１  ベゼル位置決め溝
４０２  延出部
５０１  係合部
５０２  突部
５０３  貫通孔
５０４  前側傾斜面
５０５  後側傾斜面
５０６  遮蔽部材
７０１  薄肉部
７０２  重畳部
８０１  バネ
８０２  鈎部
８１１  固定部
８１２  弾性部。
【図１】
2020184005.tif 000003
【図２】
2020184005.tif 000004
【図３】
2020184005.tif 000005
【図４】
2020184005.tif 000006
【図５】
2020184005.tif 000007
【図６】
2020184005.tif 000008
【図７】
2020184005.tif 000009
【図８】
2020184005.tif 000010
【図９】
2020184005.tif 000011
【図１０】
2020184005.tif 000012
【図１１】
2020184005.tif 000013
【図１２】
2020184005.tif 000014